(57)【要約】【目的】ペットボトルのおまけ収納体集合構造において、箱体内に収納された複数本のペットボトルの各首部におまけ収納体を効率良く取付けることにある。【構成】箱体内に収納された複数本のペットボトルの各首部を挿入する複数の挿入孔が形成された一枚の素材を設け、この素材には、複数の挿入孔中の一つが含まれた取付部を夫々連結状態で複数形成し且つこの複数の取付部を夫々切り離し可能とするミシン目を縦方向及び横方向に複数本形成し、各取付部の上面には該取付部と共働しておまけ収納体を構成するように販売促進用のおまけを入れた袋部を夫々固着して設けている。【選択図】        図１
2004149154.tif 000002
【特許請求の範囲】
【請求項１】
箱体内に収納された複数本のペットボトルの各首部を挿入する複数の挿入孔が形成された一枚の素材を設け、この素材には、前記複数の挿入孔中の一つが含まれた取付部を夫々連結状態で複数形成し且つこの複数の取付部を夫々切り離し可能とするミシン目を縦方向及び横方向に複数本形成し、前記各取付部の上面には該取付部と共働しておまけ収納体を構成するように販売促進用のおまけを入れた袋部を夫々固着して設けたことを特徴とするペットボトルのおまけ収納体集合具構造。
【請求項２】
前記素材は、四角形状の紙材からなることを特徴とする請求項１に記載のペットボトルのおまけ収納体集合具構造。
【請求項３】
前記素材の各隅部位には、前記箱体の上部に挿入されたときに、前記箱体の各隅部位内に係合するように複数の折り線が形成されたことを特徴とする請求項２に記載のペットボトルのおまけ収納体集合具構造。
【発明の詳細な説明】
【０００１】
【発明の属する技術分野】
この発明は、ペットボトルのおまけ収納体集合具構造に係り、特に箱体内の複数本のペットボトルの各首部におまけ収納体を効率良く取付けることができるペットボトルのおまけ収納体集合具構造に関する。
【０００２】
【従来の技術】
近時においては、各種の飲料を販売する容器として、ペット（ＰＥＴ：ポリエチレン・テレフタレート）ボトルが多用されている。このペットボトルにより飲料を販売する際には、販売促進用のおまけを付けることがある。
【０００３】
従来、おまけ容器には、対向する一対の側面を開口した大四角柱と、この大四角柱の両底面の一部とこれらに挟まれた側面とを利用して大四角柱内に形成した小四角柱とからなり、一対の底面に、ペットボトルの首部を挿入する挿入孔とキャップを突出させるキャップ孔とを形成するとともに、挿入孔の周囲に切り込みによって首部押さえ片を形成し、挿入孔にペットボトルの首部を挿入して取り付けたものがある（例えば、特許文献１）。
【０００４】
【特許文献１】
特開２００１−１９９４４４号公報（第３、４頁、図２、図３）
【０００５】
【発明が解決しょうとする課題】
ところが、箱体内に収納された複数本のペットボトルに、このペットボトルの首部を挿入する挿入孔が形成された取付部とこの取付部の上面に固着した袋部とからなるおまけ収納体を取り付ける場合に、１本のペットボトルに対して１個ずつおまけ収納体を取付ける作業を行わなければならないため、その取付作業に多大の手間がかかり、効率が悪くなるという不都合があった。
【０００６】
【課題を解決するための手段】
そこで、この発明は、上述の不都合を除去するために、箱体内に収納された複数本のペットボトルの各首部を挿入する複数の挿入孔が形成された一枚の素材を設け、この素材には、前記複数の挿入孔中の一つが含まれた取付部を夫々連結状態で複数形成し且つこの複数の取付部を夫々切り離し可能とするミシン目を縦方向及び横方向に複数本形成し、前記各取付部の上面には該取付部と共働しておまけ収納体を構成するように販売促進用のおまけを入れた袋部を夫々固着して設けたことをことを特徴とする。
【０００７】
【発明の実施の形態】
この発明は、箱体内に収納された複数本のペットボトルにおまけ収納体を取り付ける場合に、おまけ収納体集合具を箱体内の上部に挿入して下方に移動し、そして、このおまけ収納体集合具の各取付部の各挿入孔に各ペットボトルの各首部を挿入させることによって、各ペットボトルの首部のすべてにおまけ収納体を一度の動作で取付けることができ、おまけ収納体の取付作業の簡略化を図り、また、各ペットボトルに取付けられた隣接するおまけ収納体の取付部が連結されたミシン目を切り離すことにより、首部におまけ収納体が取り付けられたペットボトルを１本ずつ容易に分離することができる。
【０００８】
【実施例】
以下図面に基づいてこの発明の実施例を詳細且つ具体的に説明する。図１〜図５は、この発明の実施例を示すものである。図２において、２は箱体、４はこの箱体２内に収納されるペットボトルである。箱体２は、複数本の、例えば２４本のペットボトル４を、縦方向（幅方向）Ｘで４列且つ横方向（長手方向）Ｙで６列に配置して収納するものである。
【０００９】
ポットボトル４は、図５に示す如く、無蓋有底筒形状の本体６上部に首部８が設けられ、この首部８につば部１０を介して飲み口部１２が設けられて構成されている。また、この飲み口部１２には、蓋体１４がねじ嵌合により着脱可能に螺着して設けられている。
【００１０】
この箱体２内に収納された各ペットボトル４の各首部８には、図１、２に示す如く、おまけ収納体集合具１６が設けられる。
【００１１】
このおまけ収納体集合具１６は、箱体２内に収納された各ペットボトル４の首部８を挿入する複数（２４個）の挿入孔１８が形成された一枚の素材２０を基に構成される。この素材２０は、この実施例において、例えば、縦方向Ｘの両縦方向外辺２２Ｅ・２２Ｅ及び横方向Ｙの両横方向外辺２２Ｆ・２２Ｆを有する四角形状の紙材からなる。
【００１２】
この素材２０には、挿入孔１８の一つが含まれた取付部２４を連結状態で複数（２４枚）を形成し、且つ、この取付部２４を夫々切り離し可能とする複数本（７本）の縦方向ミシン目２６とこの縦方向ミシン目２６に直交する複数本（５本）の横方向ミシン目２８とを形成している。これにより、素材２０には、縦方向Ｘに６列、且つ、横方向Ｙに４列で、各ペットボトル４の各首部８に対応した四角形状の複数（２４枚）の取付部２４が区画形成される。この場合に、図２に示す如く、縦方向Ｘにおいて、隣接するペットボトル４・４間の中心間距離Ｌ１と隣接する取付部２４・２４間の中心間距離Ｌ１とが同一であり、また、横方向Ｙにおいて、隣接するペットボトル４・４間の中心間距離Ｌ２と隣接する取付部２４・２４間の中心間距離Ｌ２とが同一である。
【００１３】
また、この素材２０には、一側の縦方向ミシン目２６と一側の縦方向外辺２２Ｅとによって一側の縦方向外縁部３０Ｅが所定幅に形成され、他側の縦方向ミシン目２６と他側の縦方向外辺２２Ｅとによって他側の縦方向外縁部３０Ｅが所定幅に形成され、また、一側の横方向ミシン目２８と一側の横方向外辺２２Ｆとによって一側の横方向外縁部３０Ｆが所定幅に形成され、他側の横方向ミシン目２８と他側の横方向外辺２２Ｆとによって他側の横方向外縁部３０Ｆが所定幅に形成されている。
【００１４】
更に、素材２０の外縁部位の各隅部位には、箱体２の上部に挿入されたときに、各外縁部３０が箱体２の各隅部位内に係合するように、複数の折り線が夫々形成される。
【００１５】
つまり、素材２０の４つの各隅部位３２には、縦方向ミシン目２６と横方向ミシン目２８との交点３４と外縁角部３６とを結ぶ谷折り線３８が形成され、また、交点３４から縦方向ミシン目２６上に延長する一側山折り線４０Ａが形成され、交点３４から横方向ミシン目２８上に延長する他側山折り線４０Ｂが形成されている。
【００１６】
そして、各取付部２４の上面には、図３、４に示す如く、該取付部２４と共働しておまけ収納体４２を構成するように、販売促進用のおまけを入れる袋部４４の固着部４６が所定の固着手段で固着して設けられる。つまり、このおまけ収納体４２は、ペットボトル４の首部８に取り付けられる取付部２４と、おまけ（図示せず）を入れる袋部４４とからなる。これにより、おまけ収納体集合具１６においては、図１に示す如く、素材２０に各おまけ収納体４２が、各ペットボトル４の各首部８に対応し且つ一体的に集合して夫々取り付けられる。
【００１７】
また、このおまけ収納体４２には、図３に示す如く、取付部２４の挿入孔１８内にペットボトル４の首部８に当接される当接部４８が形成されている。この当接部４８は、挿入孔１８内の円周方向等間隔位置に、互いに対向するように複数個（この実施例においては、４個）を中心側に湾曲して突出するように形成されている。
【００１８】
次に、この実施例の作用を説明する。
【００１９】
各ペットボトル４が所定に配置して収納された箱体２の上部に、おまけ収納体集合具１６を挿入するときに、先ず、素材２０の各隅部位３２の各折り線３８・４０を所定に折曲し、そして、この素材２０の各外縁部３０を箱体２の上部内に係合させる。これにより、おまけ収納体集合具１６の各取付部２４の各挿入孔１８は、各ペットボトル４の各首部８の上方に夫々対応して配置される。
【００２０】
そして、この箱体２内の上部で、おまけ収納体集合具１６を下方に移動し、図５に示す如く、各挿入孔１８に各ペットボトル４の各首部８を挿入し、おまけ収納体４２を上方に向けて蓋体１４に寄りかけて保持する。これにより、おまけ収納体４２が他方向に突設することがなく各ペットボトル４の各首部８・８間の空間に配置され、おまけ収納体４２を邪魔にならないように、箱体２内に収納することができる。
【００２１】
ペットボトル４を取り出すときには、並設したペットボトル４を夫々引き離すと、ペットボトル４に取り付けられた隣接する各おまけ収納体４４の各取付部２４を縦方向ミシン目２６及び横方向ミシン目２８で切断して切り離すことによって、ペットボトル４を１本ずつに分離すると、１本のペットボトル４には１つのおまけ収納体４２が取り付けられる。
【００２２】
この結果、箱体２内に収納された複数本のペットボトル４におまけ収納体４２を取り付ける場合に、おまけ収納体集合具１６を箱体２内の上部に挿入して下方に移動し、そして、このおまけ収納体集合具１６の各取付部２４の各挿入孔１８に各ペットボトル４の各首部８を挿入させることによって、各ペットボトル４の首部８のすべてにおまけ収納体４２を一度の動作で取付けることができ、おまけ収納体４２の取付作業の簡略化を図り、また、各ペットボトル４に取付けられた隣接するおまけ収納体４２の取付部が連結された各ミシン目２６・２８を切り離すことにより、首部８におまけ収納体４２が取り付けられたペットボトル４を１本ずつ容易に分離することができる。
【００２３】
また、おまけ収納体４２を、箱体２内でペットボトル４に取り付けておいて取り扱うことができるので、箱体２の取り扱い時に、ペットボトル４からおまけ収納体４２が落下するおそれをなくすことができる。
【００２４】
また、このおまけ収納体４２の構造は、取付部２４の挿入孔１８内にペットボトル４の首部８に当接される当接部４８を形成して設けていることにより、取付部２４の挿入孔１８に挿入されたペットボトル４の首部８に当接部４８が当接されるため、袋部４４を持ち上げた際に、つば部１０に当接部４８を当接させることができ、取付部２４を首部８から抜けにくくして脱落を防止することができる。
【００２５】
更に、おまけ収納体集合具１６の素材２０は、四角形状の紙材からなることにより、その取り扱いが容易で、且つ、廉価とすることができる。
を特徴とする請求項１に記載のペットボトルのおまけ収納体集合具構造。
【００２６】
おまけ収納体集合具１６の素材２０の各隅部位３２には、箱体２の上部に挿入されたときに、箱体２の各隅部位内に係合するように複数の折り線３８・４０が形成されたことにより、各外縁部３０を箱体２の各隅部位内に係合させ、おまけ収納体集合具１６を箱体２に堅固に保持させることができる。
【００２７】
なお、この発明においては、素材を、紙材としたが、薄手のプラスチック等の他の材料を選定することも可能である。
【００２８】
【発明の効果】
以上詳細な説明から明らかなようにこの発明によれば、箱体内に収納された複数本のペットボトルの各首部を挿入する複数の挿入孔が形成された一枚の素材を設け、この素材には、複数の挿入孔中の一つが含まれた取付部を夫々連結状態で複数形成し且つこの複数の取付部を夫々切り離し可能とするミシン目を縦方向及び横方向に複数本形成し、各取付部の上面には該取付部と共働しておまけ収納体を構成するように販売促進用のおまけを入れた袋部を夫々固着して設けたことにより、箱体内に収納された複数本のペットボトルにおまけ収納体を取り付ける場合に、おまけ収納体集合具を箱体内の上部に挿入して下方に移動し、そして、このおまけ収納体集合具の各取付部の各挿入孔に各ペットボトルの各首部を挿入させることによって、各ペットボトルの首部のすべてにおまけ収納体を一度の動作で取付けることができ、おまけ収納体の取付作業の簡略化を図り、また、各ペットボトルに取付けられた隣接するおまけ収納体の取付部が連結されたミシン目を切り離すことにより、首部におまけ収納体が取り付けられたペットボトルを１本ずつ容易に分離と得る。
【図面の簡単な説明】
【図１】おまけ収納体集合具の平面図である。
【図２】各おまけ収納体を各ペットボトルに取付ける前の斜視図である。
【図３】おまけ収納体の平面図である。
【図４】図３のＩＶ−ＩＶ線によるおまけ収納体の断面図である。
【図５】おまけ収納体をペットボトルに取り付けるときの側面図である。
【符号の説明】
２  箱体
２  ペットボトル
６  本体
８  首部
１４  蓋体
１６  おまけ収納体集合具
１８  挿入孔
２４  取付部
２６  縦方向ミシン目
２８  横方向ミシン目
４２  おまけ収納体
４４  袋部
【図１】
2004149154.tif 000003
【図２】
2004149154.tif 000004
【図３】
2004149154.tif 000005
【図４】
2004149154.tif 000006
【図５】
2004149154.tif 000007